(57)【要約】【課題】  被治療者の人体に接触させて治療するための接触部を、その人体の皮膚に沿って滑らかに移動させることができるとともに、被治療者の患部の状況に応じた治療を行うことができる電気治療器を提供する。【解決手段】  本発明の電気治療器１は、人体に接触部６を接触させて、その接触部６に通電することで治療を行う。接触部６は、導電性を有する金属からなる丸棒状の電極体８と、当該電極体８においてその先端部８ａよりも基端側に寄った位置に回転自在に配置しているローラ１０とを有する。ローラ１０は、導電性を有する金属からなっていて電極体８に導通している。電極体８の先端部８ａは先細りの球面形状になっている。【選択図】  図１
2014061110.tif 000002
【特許請求の範囲】
【請求項１】
人体に接触部（６）を接触させて、その接触部（６）に通電することで治療を行う電気治療器（１）であって、
前記接触部（６）は、導電性部材からなる棒状の電極体（８）と、当該電極体（８）においてその先端部（８ａ）よりも基端側に寄った位置に回転自在に配置しているローラ（１０）とを有しており、
前記ローラ（１０）は、導電性部材からなっていて電極体（８）に導通しており、
電極体（８）の先端部（８ａ）は、先細りの球面形状になっていることを特徴とする電気治療器。
【請求項２】
前記ローラ（１０）の外周面が、当該ローラ（１０）の軸方向に延びる複数の凸条部（１０ａ）を周方向へ所定間隔で並べたスプライン形状になっていることを特徴とする請求項１記載の電気治療器。
【請求項３】
前記接触部（６）の電極体（８）の基端側は、絶縁体（１１）を介して把持部（７）に支持しており、
前記把持部（７）は、筒状の導電性部材からなっており、
前記把持部（７）と前記接触部（６）の電極体（８）とのいずれか一方に正電圧を印加するとともに、他方に負電圧を印加することを特徴とする請求項１または２記載の電気治療器。
【発明の詳細な説明】
【技術分野】
【０００１】
本発明は、人体に、例えば微小電流を流して患部を治療するための電気治療器に関するものである。
【背景技術】
【０００２】
人体に微弱な電流（微小電流）を流すことで、細胞内のミトコンドリアの働きが増大してＡＴＰ（アデノシン三燐酸）が大量に生成され、それによって細胞や組織の活性化が図れることが知られている。これを利用して人体（被治療者）を治療する治療器としては、例えば特許文献１に示すように、導電性を有する金属製の単電極体（接触部）を人体に接触させた状態で、その単電極体に微小電流を流して、前記人体の患部に電気刺激を与えるものがある。
【先行技術文献】
【特許文献】
【０００３】
【特許文献１】特開２００９−２８１５４号公報
【発明の概要】
【発明が解決しようとする課題】
【０００４】
前記特許文献１の電気治療器では、単電極体の凸曲面状の表面に複数の溝を形成している。そのため、例えば、前記単電極体が人体の皮膚に接触したまま当該皮膚に沿って移動（摺動）すると、単電極体の溝の縁が皮膚に引っ掛かって、被治療者に痛みや不快感などを与える虞がある。
【０００５】
また、前記特許文献１の電気治療器では、単電極体を人体の皮膚に接触させて行う治療しかできず、被治療者の患部の大きさなどの状況に応じた適正な治療が行い難いといった問題がある。
【０００６】
本発明は、かかる不都合を解決することを目的として提供されたものであり、被治療者の人体に接触させて治療するための接触部を、その人体の皮膚に沿って滑らかに移動させることができるとともに、被治療者の患部の状況に応じた治療を行うことができる電気治療器を提供することにある。
【課題を解決するための手段】
【０００７】
本発明は、かかる不都合を解決するためのものであり、人体に接触部６を接触させて、その接触部６に通電することで治療を行う電気治療器１であって、接触部６は、導電性部材からなる棒状の電極体８と、当該電極体８においてその先端部８ａよりも基端側に寄った位置に回転自在に配置しているローラ１０とを有しており、ローラ１０は、導電性部材からなっていて電極体８に導通しており、電極体８の先端部８ａは、先細りの球面形状になっていることを特徴とする。
【０００８】
ここでの接触部６の通電には、接触部６を介して人体に電流（微小電流）を流す場合の他に、接触部６は人体に電圧を印加するだけで電流がほとんど流れない場合なども含まれる。導電性部材には、導電性を有するステンレススチールなどの金属や導電性を有する合成樹脂などが含まれる。電極体８は、丸棒の場合や角棒の場合などが含まれる。電極体８の先端部８ａは、電極体８の基端部分から取り外し可能なものも含まれる。
【０００９】
詳しくは、ローラ１０の外周面は、当該ローラ１０の軸方向に延びる複数の凸条部１０ａを周方向へ所定間隔で並べたスプライン形状になっている。前記凸条部１０ａは、ローラ１０の周方向に沿って滑らかに起伏する形状（例えば図２の断面円弧状の形状）であることが好ましい。
【００１０】
さらに、接触部６の電極体８の基端側は、絶縁体１１を介して把持部７に支持しており、把持部７は、筒状の導電性部材からなっており、把持部７と接触部６の電極体８とのいずれか一方に正電圧を印加するとともに、他方に負電圧を印加するものとすることができる。ここでの把持部７は、円筒状の場合や角筒状の場合などが含まれる。
【発明の効果】
【００１１】
本発明の電気治療器１は、接触部６の電極体８の先端部８ａやローラ１０を被治療者の人体に接触させて、例えば微小電流を流すことができるので、それによって前記電極体８の先端部８ａやローラ１０を接触させた箇所周辺の細胞内のミトコンドリアの働きを効率よく増大させることができる。それにより、その接触箇所の周辺の細胞や組織の活性化を促進させて、被治療者の患部の治療を的確に行うことができる。
【００１２】
そのうえで、人体には、当該人体の皮膚上を転がって滑らかに移動することができるローラ１０や、皮膚上を移動しても当該皮膚に引っ掛り難い先細りの球面形状の電極体８の先端部８ａが接触するので、接触部６が皮膚に引っ掛かって被治療者に痛みや不快感などを与えることが抑えられる。
【００１３】
接触部６の電極体８の先端部８ａを人体に押し付けることで、その先細りの球面形状の先端部８ａの押圧による刺激と前記微小電流とによって高い治療効果を得ることができる。また、接触部６のローラ１０を人体に接触させて転がすことで、前記微小電流を人体の広範囲に亘って流して、細胞や組織の活性化を広い範囲で促進させることができる。
【００１４】
かかる接触部６は、先端部８ａが先細りの球面形状の電極体８にローラ１０を配置しているので、一つの接触部６でありながら、前記先端部８ａを用いた治療と、前記ローラ１０を用いた治療とを被治療者の患部の状況などに応じて適正に選択して行うことができる。
【００１５】
ローラ１０の外周面が、複数の凸条部１０ａを周方向へ並べたスプライン形状になっていると、その凸条部１０ａを設けている分だけローラ１０と人体との接触面積が増えて、ローラ１０を皮膚に沿って確実に転がすことができる。そのうえで、ローラ１０を転がしたときには、凸条部１０ａが皮膚に押し付けられて、その凸条部１０ａの押圧による刺激を被治療者に与えるので、その押圧による治療効果も得ることができる。
【００１６】
絶縁体１１を介して接触部６の電極体８を支持している把持部７が筒状の導電性部材からなっており、把持部７と接触部６の電極体８とのいずれか一方に正電圧を印加するとともに、他方に負電圧を印加するようにすると、被治療者自身が把持部７を片手で把持して、接触部６の電極体８の先端部８ａやローラ１０を当該被治療者の人体に接触させるだけで、例えば微小電流を被治療者の人体に流して治療することができるので、両手を使って治療を行う電気治療器よりも治療を楽に行うことができる。
【図面の簡単な説明】
【００１７】
【図１】本発明に係る電気治療器の接触部および把持部の断面図である。
【図２】図１のＡ−Ａ線矢視断面図である。
【図３】本発明に係る電気治療器のブロック構成図である。
【発明を実施するための形態】
【００１８】
本発明に係る電気治療器の一実施例を図面に基づいて説明する。本実施例の電気治療器１は、人体に直流の微小電流（マイクロアンペア：例えば１００〜３００μＡの電流）を流して患部を治療するようになっている。
【００１９】
前記電気治療器１の本体２には、図３に示すように、商用電源３からの交流電圧（１００Ｖ）を、所定の交流電圧に変換するトランス４と、そのトランス４から出力された交流を整流して平滑する整流平滑回路５と、その整流平滑回路５で整流平滑した直流を本体２の外部へ出力するための接触部６とを有している。図１に示すように、接触部６の基端側（図１では左側）には、把持部７を配置している。
【００２０】
接触部６は、導電性を有するステンレススチールなどの金属（導電性部材）からなる丸棒状の電極体８と、その電極体８において先端部８ａ（図１では右側）よりも基端側（把持部７側）に寄った位置に回転自在に配置しているローラ１０とを有している。把持部７は、導電性を有するステンレススチールなどの金属（導電性部材）からなり、円筒状に形成している。接触部６の電極体８の基端側（図１では左側）は、絶縁体１１を介して把持部７に支持（固定）されている。ローラ１０は、導電性を有するステンレススチールなどの金属（導電性部材）からなる。絶縁体１１は、絶縁性を有する合成樹脂などからなる。
【００２１】
電極体８の基端側には負極導線１２を接続しており、図３に示すように、その負極導線１２は本体２の負極端子１３に接続している。その負極端子１３は、出力電流調節用の可変抵抗Ｒ１を介して整流平滑回路５の出力の負極側に接続している。把持部７には正極導線１４を接続しており、その正極導線１４は、本体２の正極端子１５に接続している。正極端子１５および整流平滑回路５の出力の正極側は接地（アース）している。これによって接触部６の電極体８およびローラ１０に負電圧が印加されるとともに、把持部７に正電圧が印加される。
【００２２】
負極導線１２および正極導線１４は、絶縁性および柔軟性を有する合成樹脂で被覆しており、図１に示すように、把持部７の基端（図１では左側）に配置している絶縁性を有するキャップ１７で支持している。正極導線１４は、前記キャップ１７に固定している導電端子１８および導電ピン１９を介して把持部７に接続している。
【００２３】
接触部６の電極体８は、「へ」の字状に屈曲しているとともに、先端部８ａを先細りの球面形状に形成している。接触部６のローラ１０の外周面は、図２に示すように、当該ローラ１０の軸方向に延びる複数の凸条部１０ａを周方向へ等間隔（所定間隔）で並べたスプライン形状になっている。ローラ１０の凸条部１０ａは、例えば８〜１４個程度形成しており、ローラ１０の周方向に沿って滑らかに起伏する形状になっている。また、ローラ１０の軸心側は、電極体８に接触しており、それによってローラ１０と電極体８とが導通している。
【００２４】
本体２の正極端子１５には、図３に示すように、導電性を有する丸棒形状の金属製の握り２１を接続している。電気治療器１の本体２には、電源スイッチ２２と、ヒューズ２３と、ＬＥＤなどからなる電源ランプ２４と、音声回路２５と、メータ回路２６と、音声回路２５やメータ回路２６へ電源供給するための電源回路２７などを有している。
【００２５】
音声回路２５は、前記負極端子１３に接続してあり、その負極端子１３を介して接触部６の電極体８に流れる直流の変動に応じた音声をスピーカ２８から出力する。メータ回路２６は、前記負極端子１３に接続してあり、負極端子１３の出力電圧（レベル）を、例えばＬＥＤ（不図示）の点灯によって表示する。
【００２６】
次に、電気治療器１の動作を説明する。治療対象の人（以下、被治療者という）が自身で治療を行う場合には、当該被治療者が把持部７を手や指で把持して（握って）、接触部６の電極体８の先端部８ａを被治療者の所望の位置（例えばつぼ）に接触させ、または接触部６のローラ１０を皮膚に接触させた状態で転がす。すると、その被治療者の人体には、接触部６の電極体８の先端部８ａやローラ１０と把持部７とを介して直流電流（微小電流）が流れる。その接触部６の通電によって被治療者の患部が治療される。その際の電流値は、可変抵抗Ｒ１によって調節することができる。
【００２７】
また、治療対象以外の人（以下、施療師という）が被治療者の治療を行う場合には、被治療者は握り２１を把持する。そして、施療師が把持部７を手で持って、接触部６の電極体８の先端部８ａを被治療者（例えばつぼ）に押し付け（接触させ）、または接触部６のローラ１０を被治療者の皮膚に接触させた状態で転がす。すると、被治療者の人体には、接触部６の電極体８の先端部８ａやローラ１０と握り２１とを介して直流電流（微小電流）が流れる。その接触部６の通電によって被治療者の患部が治療される。
【００２８】
このように、本電気治療器１は、接触部６の電極体８の先端部８ａやローラ１０を介して被治療者の人体に前記微小電流を流すので、その微小電流によって電極体８の先端部８ａやローラ１０を接触させた箇所周辺の細胞内のミトコンドリアの働きを効率よく増大させることができる。それにより、その接触箇所の周辺の細胞や組織の活性化を促進させて、被治療者の治療を行うことができる。
【００２９】
そのうえで、被治療者の人体には、皮膚上を転がって滑らかに移動することができるローラ１０や、皮膚に引っ掛かり難い電極体８の先細りの球面形状の先端部８ａが接触するので、治療の際に接触部６が皮膚に引っ掛かって、被治療者に痛みや不快感などを与えることが抑えられる。
【００３０】
接触部６の電極体８の先端部８ａを被治療者のつぼなどに押し付けることで、その先細りの球面形状の先端部８ａの押圧による刺激と前記微小電流とによって高い治療効果を得ることができる。また、接触部６のローラ１０を皮膚に接触させて転がすことで、人体の広範囲に亘って前記微小電流を流すことができるので、細胞や組織の活性化を広い範囲で促進させることができる。
【００３１】
接触部６は、先端部８ａが先細りの球面形状の電極体８にローラ１０を配置しているので、前記先端部８ａを用いた治療と、前記ローラ１０を用いた治療とを被治療者の患部の状況などに応じて選択して行うことができる。
【００３２】
ローラ１０の外周面に凸条部１０ａを形成している分だけ、ローラ１０と被治療者の皮膚との接触面積が増え、ローラ１０を皮膚に沿って確実に転がすことができるうえ、ローラ１０を転がした際に凸条部１０ａが皮膚に押し付けられるので、その押圧による治療効果も得ることができる。
【００３３】
本体２の負極端子１３を介して接触部６に接続してある音声回路２５が、直流の変動に応じた音声をスピーカ２８から出力するので、その音声によって治療状態を把握することができる。
【００３４】
なお、本発明は、接触部６の電極体８およびローラ１０に正電圧が印加されるとともに、把持部７に負電圧が印加される電気治療器にも適用することができる。
【符号の説明】
【００３５】
１  電気治療器
２  本体
６  接触部
７  把持部
８  電極体
８ａ  先端部
１０  ローラ
１０ａ  凸条部
【図１】
2014061110.tif 000003
【図２】
2014061110.tif 000004
【図３】
2014061110.tif 000005